(57)【要約】【課題】被転写体と中間転写ベルト間の微小な間隙の発生を解消して放電による画像形成の障害を防ぐ転写補助ガイドを備えた画像形成装置を提供する。【解決手段】二次転写部に進入してくる被転写体５８の先端５８ａにより半円凸部５４が押され、回動支点５１を中心に第１の板状体５３の下方が二次転写ローラ３６側に回動し上方が中間転写ベルト２４側に回動し、樹脂フィルム状シート５５が中間転写ベルト２４に摺接し、この摺接部に被転写体５８が進入して中間転写ベルト２４に密着しながら二次転写部を通過する。被転写体５８の後端５８ｂが半円凸部５４を通過して付勢力が消失すると、代わって第２の板状体５６の突起部５７が被転写体５８から中間転写ベルト２４側に付勢され、第２の板状体５６、２本の棒状体５２、回動支点５１及び第１の板状体５３を介して伝達された付勢力により樹脂フィルム状シート５５と中間転写ベルト２４との摺接状態が維持される。【選択図】    図３
2010145623.tif 000002
【特許請求の範囲】
【請求項１】
一次転写により転写されたトナー像を担持して搬送する中間転写ベルトと、該中間転写ベルトに対向配置された二次転写ローラとで形成される二次転写部において転写補助ガイドを備えて前記トナー像を被転写体に転写する画像形成装置であって、
前記転写補助ガイドは、
前記二次転写部の両側において前記二次転写部よりも下方の位置に回動支点を有し回動自在に配置された２本の棒状体と、
該２本の棒状体の前記回動支点間に差し渡されて固定され、前記中間転写ベルトに対面する側の面の下端部に該下端部の縁に沿って形成された断面が半円状の半円凸部を有する第１の板状体と、
該第１の板状体の前記中間転写ベルトに対面する側の面の上端部に下方を固定され、屈曲自由な上方の端部が前記中間転写ベルトに当接するように配置された樹脂フィルム状シートと、
前記２本の棒状体の上端部間に差し渡されて固定され、固定部から上に伸びる自由端側が二次転写ローラ側に傾くように形成され、自由端側の上端両側に中央部よりも突出する突起部を有する第２の板状体と、
を備える、
ことを特徴とする画像形成装置。
【請求項２】
前記トナー像を前記被転写体に転写するに際し、
前記第１の板状体は、
前記二次転写部に進入してくる前記被転写体の先端により前記半円凸部を前記二次転写ローラ側に押されることにより前記回動支点を中心にして前記半円凸部の在る下端部が前記二次転写ローラ側に回動し、この回動に呼応して、
前記樹脂フィルム状シートは、
前記回動支点を中心にして前記中間転写ベルト側に回動し、上方部が屈曲して前記中間転写ベルトに摺接し、該摺接部に前記被転写体の先端を誘導する、
ことを特徴とする請求項１記載の画像形成装置。
【請求項３】
前記第２の板状体は、
前記上端両側に中央部よりも突出して形成された前記突起部を、前記二次転写部を通過して定着部に向けて搬送される前記被転写体の先端両側の画像非形成領域に当接させ、
該当接により、前記二次転写部と前記定着部との間において弛み無く搬送される前記被転写体の前記画像非形成領域により、前記中間転写ベルト側に回動する方向に付勢され、  この付勢力を前記２本の棒状体、前記回動支点、及び前記第１の板状体を介して前記樹脂フィルム状シートに伝達し、
該樹脂フィルム状シートは、
前記被転写体の後端が前記第１の板状体の前記半円凸部を通過して前記第１の板状体に対する回動付勢力が消失したのちも、
前記被転写体が前記二次転写部を通過するまで、
前記第２の板状体から前記２本の棒状体、前記回動支点、及び前記第１の板状体を介して伝達された付勢力により、
前記屈曲した上方部と前記中間転写ベルトとが摺接する摺接部に前記被転写体を挟み込んで誘導する状態を維持する、
ことを特徴とする請求項１又は２記載の画像形成装置。
【発明の詳細な説明】
【技術分野】
【０００１】
本発明は、中間転写ベルトを用いてトナー像を被転写体に転写する電子写真式の画像形成装置における転写直前の放電領域における被転写体と中間転写ベルト間の間隙の発生を抑えて放電による画像形成の障害を防ぐ画像形成装置に関する。
【背景技術】
【０００２】
従来、中間転写ベルトを用いてトナー像を被転写体に転写する電子写真式の画像形成装置が知られている。この方式の画像形成装置は、一次転写部において中間転写ベルトにトナー像を転写し、そのトナー像を、中間転写ベルトと二次転写ローラが対向配置されている二次転写部で、例えば普通紙やＯＨＰ用紙等の被転写体に転写する。
【０００３】
このような中間転写ベルトを用いる画像形成装置において、転写位置の直前において被転写体と転写ベルト間に微小な間隙が生じると、放電によって、その放電部分にトナー像転写の白抜けが発生するなどの画像障害が発生するという問題があった。
【０００４】
図４(a) は、転写ベルトと二次転写ローラによって形成される二次転写部の基本構成を示す図であり、同図(b),(c) は、同図(a) に破線で囲んで示す二次転写部で発生する放電を説明する拡大図である。
【０００５】
図４(a) に示すように、二次転写部は、転写部ローラ１と図外の駆動ローラと伸張ローラ２との間に掛け渡された中間転写ベルト３と、この中間転写ベルト３を介して転写部ローラ１に対向して圧接する二次転写ローラ４とで構成される。
【０００６】
この二次転写部には、図４(a) に矢印ａで示すように、被転写体５が通紙され、中間転写ベルト３と二次転写ローラ４により挟持されて矢印ａ方向に搬送されながら、二次転写ローラ４から二次転写バイアス電圧が印加される。これにより、中間転写ベルト３上のトナー像が被転写体５に転写される。
【０００７】
ところで、中間転写ベルト３と二次転写ローラ４との間の挟持部に被転写体５が侵入する直前の間隙（図４(b) に矢印ｂで示す横線部分、又は同図(c) に矢印ｃで示す横線部分）には放電領域６が形成され、ここでは放電が生じている。
【０００８】
図４(b) のように、放電領域６において被転写体５と転写ベルト３とが接触している状態では、放電領域６における放電は転写に寄与しており、良好な転写性が得られる。
【０００９】
しかし、図４(c) のように、放電領域６において被転写体５と転写ベルト３の間に間隙ｃがあると、放電に伴い転写ベルト３上のトナーが乱れながら被転写体５に転写され、その結果白点やカスレなどの白抜けが発生して画像障害となってしまう。
【００１０】
そこで、被転写体５が二次転写部に進入するに際して、中間転写ベルト３と被転写体５が接触した状態で放電領域に進入するように構成した画像形成装置が提案されている。（例えば、特許文献１参照。）
【００１１】
特許文献１では、転写位置（図４の二次転写部）の直前で記録媒体（図４の被転写体５）とトナー像保持体（図４の中間転写ベルト３）との間に微小ギャップ（図４(c) の矢印ｃで示す部分）が生じることを抑えつつ、記録媒体と案内部材の摺動摩擦による帯電を防いだ画像形成装置を得ることを目的としている。
【００１２】
図５は、そのような従来の中間転写ベルト３と被転写体５が接触した状態で放電領域に進入するように構成した例を、より分かりやすく模式的に示す図である。尚、図５には図４と同一構成部分には図４と同一の番号を付与して示している。
【００１３】
図５に示すように、この例では、用紙搬送ローラ対７と二次転写部との間において二次転写部の近傍に、用紙Ｐ（記録媒体、被転写体５）を裏面から押圧する用紙ガイド部材８が設けられ、この用紙ガイド部材８により、用紙Ｐを中間転写ベルト３方向へ押し付けて、中間転写ベルト３と用紙Ｐとの間に、図４(c) の矢印ｃで示したような間隙が生じないようにしている。
【００１４】
そして、この例では、用紙Ｐと用紙ガイド部材８との摺動摩擦による障害（摩擦帯電によるトナー塵やスジなどが転写画像に発生する異常）に対処するために、進入ガイド（用紙ガイド部材８）に位置調整機構を付加して用紙の種類や環境条件に応じて移動させて（図５に示す用紙ガイド部材８の実線位置と破線位置、参照）、用紙への押圧力を調整して適正な押圧力を確保する、としている。
【００１５】
また、進入ガイドの位置制御方法については、温湿度センサにより測定された環境条件と、用紙の種類に関するデータが押圧力調整部へ出力され、予めルックアップテーブル上に設定されている温湿度及び用紙種類に対応する押圧力の設定値となるように、進入ガイドを移動調整する、としている。
【特許文献１】特開２００６−０６４７４８号公報
【発明の開示】
【発明が解決しようとする課題】
【００１６】
ところで、上記の特許文献１には、進入ガイド移動手段の機構的な実施例については具体的な記載がない。したがって、これについては推量するしかないが、例えば、偏心カムをモータで駆動する方法やアクチュエータによる切替え方式などが考えられる。
【００１７】
いずれにしても、このように、従来例では、用紙を中間転写ベルトに押し当てるという動作のために、機構上およびその制御上かなり複雑な構成を必要とすることは間違いなく、これでは組み立て工程の複雑化と部品点数の増加により製造価格の上昇を招くという問題がある。
【００１８】
本発明の課題は、上記従来の実情に鑑み、簡単な構成で転写直前の放電領域における被転写体と中間転写ベルト間の微小な間隙の発生を解消して放電による画像形成の障害を防ぐ転写補助ガイドを備えた画像形成装置を提供することである。
【課題を解決するための手段】
【００１９】
本発明の画像形成装置は、一次転写により転写されたトナー像を担持して搬送する中間転写ベルトと、該中間転写ベルトに対向配置された二次転写ローラとで形成される二次転写部において転写補助ガイドを備えて上記トナー像を被転写体に転写する画像形成装置であって、上記転写補助ガイドは、上記二次転写部の両側において上記二次転写部よりも下方の位置に回動支点を有し回動自在に配置された２本の棒状体と、該２本の棒状体の上記回動支点間に差し渡されて固定され、上記中間転写ベルトに対面する側の面の下端部に該下端部の縁に沿って形成された断面が半円状の半円凸部を有する第１の板状体と、該第１の板状体の上記中間転写ベルトに対面する側の面の上端部に下方を固定され、屈曲自由な上方の端部が上記中間転写ベルトに当接するように配置された樹脂フィルム状シートと、上記２本の棒状体の上端部間に差し渡されて固定され、固定部から上に伸びる自由端側が二次転写ローラ側に傾くように形成され、自由端側の上端両側に中央部よりも突出する突起部を有する第２の板状体と、を備えて構成される。
【００２０】
この画像形成装置において、上記トナー像を上記被転写体に転写するに際し、例えば、上記第１の板状体は、上記二次転写部に進入してくる上記被転写体の先端により上記半円凸部を上記二次転写ローラ側に押されることにより上記回動支点を中心にして上記半円凸部の在る下端部が上記二次転写ローラ側に回動し、この回動に呼応して、上記樹脂フィルム状シートは、上記回動支点を中心にして上記中間転写ベルト側に回動し、上方部が屈曲して上記中間転写ベルトに摺接し、該摺接部に上記被転写体の先端を誘導する、ように構成されている。
【００２１】
また、例えば、上記第２の板状体は、上記上端両側に中央部よりも突出して形成された上記突起部を、上記二次転写部を通過して定着部に向けて搬送される上記被転写体の先端両側の画像非形成領域に当接させ、該当接により、上記二次転写部と上記定着部との間において弛み無く搬送される上記被転写体の上記画像非形成領域により、上記中間転写ベルト側に回動する方向に付勢され、この付勢力を上記２本の棒状体、上記回動支点、及び上記第１の板状体を介して上記樹脂フィルム状シートに伝達し、該樹脂フィルム状シートは、上記被転写体の後端が上記第１の板状体の上記半円凸部を通過して上記第１の板状体に対する回動付勢力を消失したのちも、上記被転写体が上記二次転写部を通過するまで、上記第２の板状体から上記２本の棒状体、上記回動支点、及び上記第１の板状体を介して伝達された付勢力により、上記屈曲した上方部と上記中間転写ベルトとが摺接する摺接部に上記被転写体を挟み込んで誘導する状態を維持する、ように構成されている。
【発明の効果】
【００２２】
本発明によれば、転写直前の放電領域における被転写体と中間転写ベルト間の間隙の発生を簡単な構成の転写補助ガイドによって抑えるので、簡単な構成で放電による画像形成の障害を防ぐ画像形成装置を提供することが可能となる。
【発明を実施するための最良の形態】
【００２３】
以下、本発明の実施の形態を図面に基づいて詳細に説明する。
（実施形態１）
【００２４】
図１は、実施形態１における二次転写部を備えたカラー画像形成装置（以下、単にプリンタという）の内部構成を説明する断面図である。
【００２５】
図１に示すプリンタ１０は、電子写真方式で二次転写方式のタンデム型のカラー画像形成装置であり、画像形成部１２、中間転写ベルトユニット１３、給紙部１４、及び両面印刷用搬送ユニット１５で構成されている。
【００２６】
上記画像形成部１２は、同図の右から左へ４個の画像形成ユニット１６（１６Ｍ、１６Ｃ、１６Ｙ、１６Ｋ）を多段式に並設した構成からなる。
【００２７】
上記４個の画像形成ユニット１６のうち上流側（図の右側）の３個の画像形成ユニット１６Ｍ、１６Ｃ及び１６Ｙは、それぞれ減法混色の三原色であるマゼンタ（Ｍ）、シアン（Ｃ）、イエロー（Ｙ）の色トナーによるモノカラー画像を形成し、画像形成ユニット１６Ｋは、主として画像の暗黒部分や文字等に用いられるブラック（Ｋ）トナーによるモノクロ画像を形成する。
【００２８】
上記の各画像形成ユニット１６は、トナー容器（トナーカートリッジ）に収納されたトナーの色を除き全て同じ構成である。したがって、以下ブラック（Ｋ）用の画像形成ユニット１６Ｋを例にしてその構成を説明する。
【００２９】
画像形成ユニット１６は、最下部に感光体ドラム１７を備えている。この感光体ドラム１７は、その周面が例えば有機光導電性材料で構成されている。この感光体ドラム１７の周面近傍を取り巻いて、クリーナ１８、帯電ローラ１９、光書込ヘッド２１、及び現像器２２の現像ローラ２３が配置されている。
【００３０】
現像器２２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００３１】
また、現像器２２の下部には側面開口部に上述した現像ローラ２３を備え、内部にトナー撹拌部材、現像ローラ２３にトナーを供給するトナー供給ローラ、現像ローラ２３上のトナー層を一定の層厚に規制するドクターブレード等を備えている。
【００３２】
中間転写ベルトユニット１３は、本体装置のほぼ中央で図の左右のほぼ端から端まで扁平なループ状になって延在する無端状の中間転写ベルト２４と、この中間転写ベルト２４を掛け渡されて中間転写ベルト２４を図の反時計回り方向に循環移動させる駆動ローラ２５と従動ローラ２６を備えている。
【００３３】
上記の中間転写ベルト２４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００３４】
この中間転写ベルトユニット１３は、上記扁平なループ状の中間転写ベルト２４のループ内にベルト位置制御機構２７を備えている。ベルト位置制御機構２７は、中間転写ベルト２４を介して感光体ドラム１７の下部周面に押圧する導電性発泡スポンジから成る一次転写ローラ２８を備えている。
【００３５】
ベルト位置制御機構２７は、マゼンタ（Ｍ）、シアン（Ｃ）及びイエロー（Ｙ）の３個の画像形成ユニット１６Ｍ、１６Ｃ及び１６Ｙに対応する３個の一次転写ローラ２８を鉤型の支持軸を中心に同一周期で回転移動させる。
【００３６】
そして、ベルト位置制御機構２７は、ブラック（Ｋ）の画像形成ユニット１６Ｋに対応する１個の一次転写ローラ２８を上記３個の一次転写ローラ２８の周期と異なる回転移動周期で回転移動させて中間転写ベルト２４を感光体ドラム１７から離接させる。
【００３７】
すなわち、ベルト位置制御機構２７は、中間転写ベルトユニット１３の中間転写ベルト２４の位置を、フルカラーモード（４個全部の一次転写ローラ２８が中間転写ベルト２４に当接）、モノクロモード（画像形成ユニット１６Ｋに対応する一次転写ローラ２８のみが中間転写ベルト２４に当接）、及び全非転写モード（４個全部の一次転写ローラ２８が中間転写ベルト２４から離れる）に切換える。
【００３８】
上記の中間転写ベルトユニット１３には、上面部のベルト移動方向最上流側の画像形成ユニット１６Ｍの更に上流側に、ベルトクリーナユニットが配置され、下面部のほぼ全面に沿い付けるように平らで薄型の廃トナー回収容器２９が着脱自在に配置されている。
【００３９】
給紙部１４は、上下２段に配置された２個の給紙カセット３１を備え、これら２個の給紙カセット３１には、図には示していないが、画像形成媒体としての多枚数の用紙が収容されている。
【００４０】
そして、２個の給紙カセット３１の給紙口（図の右方）近傍には、それぞれ用紙取出ローラ３２、給送ローラ３３、捌きローラ３４、待機搬送ローラ対３５が配置されている。
【００４１】
待機搬送ローラ対３５の用紙搬送方向（図の鉛直上方向）には、中間転写ベルト２４を介して従動ローラ２６に圧接する二次転写ローラ３６が配設されて、用紙への二次転写部を形成している。
【００４２】
この二次転写部の下流（図では上方）側にはベルト式定着装置３７が配置されて、ベルト式定着装置３７の更に下流側には、定着後の用紙をベルト式定着装置３７から搬出する搬出ローラ対３８、及びその搬出される用紙を装置上面に形成されている排紙トレー３９に排紙する排紙ローラ対４１が配設されている。
【００４３】
両面印刷用搬送ユニット１５は、上記搬出ローラ対３８と排紙ローラ対４１との中間部の搬送路から図の右横方向に分岐した開始返送路４２ａ、それから下方に曲がる中間返送路４２ｂ、更に上記とは反対の左横方向に曲がって最終的に返送用紙を反転させる終端返送路４２ｃ、及びこれらの返送路の途中に配置された４組の返送ローラ対４３ａ、４３ｂ、４３ｃ、４３ｄを備えている。
【００４４】
上記終端返送路４２ｃの出口は、給紙部１４の下方の給紙カセット３１に対応する待機搬送ローラ対３５への搬送路に連絡している。
【００４５】
また、本例において中間転写ベルトユニット１３の上面部には、クリーニング部４５及び取り込みローラ４６が配置されている。
【００４６】
クリーニング部４５は、中間転写ベルト２４の上面に当接して廃トナーを擦り取って除去し、取り込みローラ４６はクリーニング部４５が除去した廃トナーを引き継いで、図示を省略したベルトクリーナユニットの一時貯留部に溜め込み、その溜め込まれた廃トナーを搬送スクリューにより落下筒内を上部まで搬送し、落下筒を介して廃トナー回収容器２９に送り込んでいる。
【００４７】
また、上記のクリーニング部４５を適度の圧力で中間転写ベルト２４に圧接させるために、中間転写ベルトユニット１３側には、下方から中間転写ベルト２４をクリーニング部４５に向けて押圧する押圧ローラ４７が設けられている。
【００４８】
また、中間転写ベルト２４と給紙部１４の上段の給紙カセット３１との間には適宜の回路基盤を装着した不図示の電装部が配設され、その回路基盤には複数の電子部品からなる制御装置が搭載されている。制御装置は、特には図示しないがコントローラ部とエンジン部からなる。
【００４９】
コントローラ部は、ＣＰＵ（中央演算処理装置）、ＲＯＭ（読出し専用メモリ）、ＥＥＰＲＯＭ（再書込み可能な読出し用メモリ）、フレームメモリ、イメージデータ転送回路等からなり、ホストコンピュータ等から入力される印刷データを解析し、印字用データを作成してエンジン部に転送する。
【００５０】
エンジン部は、ＣＰＵやＲＯＭ等を備え、入力側にはコントローラ部からのデータや指令信号、不図示の温度センサの出力、用紙検知センサの出力等が入力し、出力側には不図示のモータを駆動するモータドライバ、そのモータの駆動を各部に伝達する駆動系を切り替えるクラッチドライバ、光書込みヘッド１１を上記印字用データに基づいて駆動する印字ドライバ、帯電ローラ９、転写ローラ１３、上押さえローラ１４等に所定のバイアス電流（又はバイアス電圧）を供給するバイアス電源ドライバ等が接続されている。このエンジン部は、コントローラ部からのデータや指令信号、各種のセンサの出力等に基づいて各部を駆動制御する。
【００５１】
図２は、上述した実施形態１における構成のプリンタにおいて二次転写部に配置される転写補助ガイドの構成を二次転写部近傍の構成と共に模式的に簡略に示す断面図である。尚、図２には図１と同一構成部分には図１と同一の番号を付与して示している。
【００５２】
図２に示すように、転写補助ガイド５０は、従動ローラ２６に掛け渡されている側の中間転写ベルト２４と二次転写ローラ３６とが対向して形成される二次転写部の両側において、二次転写部よりも下方の位置に、支持軸５１からなる回動支点を有して回動自在に配置された２本（図２は断面図のため紙面奥行き方向の向う側の１本だけが示されている）の棒状体５２を備えている。
【００５３】
更に転写補助ガイド５０は、２本の棒状体５２の回動支点間に差し渡されて、つまり支持軸５１の一方の端部から他方の端部まで嵌合した形で、２本の棒状体５２間に固定された第１の板状体５３を備えている。
【００５４】
この第１の板状体５３には、中間転写ベルト２４に対面する側の面の下端部に、その下端部の縁に沿って、つまり紙面奥行き方向の向う側から手前まで下端部の縁に沿って、断面が半円状の半円凸部５４が形成されている。
【００５５】
また、第１の板状体５３の同じく中間転写ベルト２４に対面する側の面の上端部には、樹脂フィルム状シート５５が保持されている。樹脂フィルム状シート５５は、その下方のほぼ１／２を、第１の板状体５３の上端部面に固定され、上方の約１／２が、屈曲自由に開放され、その屈曲自由な上方の端部が、中間転写ベルト２４に当接するように配置されている。
【００５６】
また、更に、転写補助ガイド５０は、２本の棒状体５２の上端部間に差し渡されて固定された第２の板状体５６を備えている。この第２の板状体５６は、固定部から上に延びて配置された自由端側が、二次転写ローラ３６側に傾くように形成されている。そして、その自由端側の上端両側に、中央部よりも突出する突起部５７を備えている。
【００５７】
図３(a),(b),(c) は、上記構成の転写補助ガイド５０の動作を説明する図である。図３(a) に示すように、中間転写ベルト２４上に一次転写されているトナー像を被転写体５８に転写するに際し、第１の板状体５３は、二次転写部に進入してくる被転写体５８の先端５８ａにより、半円凸部５４を、矢印ｄで示すように、二次転写ローラ３６側に押される。
【００５８】
これにより、第１の板状体５３は、支持軸５１からなる回動支点を中心にして半円凸部５４の在る下端部が、二次転写ローラ３６側に回動する。そして、この回動に呼応して、樹脂フィルム状シート５５を保持している第１の板状体５３の上部が、矢印ｅで示すように、回動支点を中心にして中間転写ベルト２４側に回動する。
【００５９】
これにより、樹脂フィルム状シート５５の上方部が、屈曲しながら中間転写ベルト２４に摺接する。そして、この摺接部に、被転写体５８の先端が誘導されて進入する。被転写体５８は、樹脂フィルム状シート５５により、中間転写ベルト２４に押圧され、二次転写部に進入する前から中間転写ベルト２４に密着して、図３(b) に示すように、二次転写部を通過していく。
【００６０】
そして、二次転写部を通過して定着部（図１のベルト式定着装置３７参照）に向けて搬送される被転写体５８の先端５８ａの両側の画像非形成領域が、第２の板状体５６の、上端両側に中央部よりも突出して形成されている突起部５７に当接する。
【００６１】
この当接において、第２の板状体５６は、二次転写部と定着部との間において弛み無く搬送される被転写体５８の画像非形成領域により、図３(c) の矢印ｆで示すように中間転写ベルト２４側に回動する方向に付勢される。
【００６２】
この付勢力は、２本の棒状体、回動支点（支持軸５１）、及び第１の板状体５３を介して樹脂フィルム状シート５５に伝達される。
【００６３】
これにより、樹脂フィルム状シート５５は、被転写体５８の後端５８ｂが第１の板状体５３の半円凸部５４を通過して第１の板状体５３に対する回動付勢力が消失したのちも、被転写体５８の後端５８ｂが二次転写部を通過するまで、第２の板状体５６から２本の棒状体５２、回動支点（支持軸５１）、及び第１の板状体５３を介して伝達された付勢力により、屈曲した上方部と中間転写ベルト２４とが摺接する摺接部に被転写体５８を挟み込んで誘導する状態を維持する。
【００６４】
このように、本実施の形態によれば、被転写体５８の二次転写部通過時のみ、被転写体５８と中間転写ベルト２４を密着させ簡単な機構により、常に被転写体５８が中間転写ベルト２４に密着した状態でトナー像を転写させることができるため、効率的な転写性能を、安定した状態で保つことが可能となる。
【００６５】
しかも、電気的またはギア系等からなる特別な駆動設備を必要としない機構的な動作のみで、被転写体５８の中間転写ベルト２４への密着状態が実現する。また、二次転写の通過時のみ密着状態を作り出せるので、部品の磨耗等が低減する。
【図面の簡単な説明】
【００６６】
【図１】実施形態１における二次転写部を備えたカラー画像形成装置（プリンタ）の内部構成を説明する断面図である。
【図２】実施形態１におけるプリンタにおいて二次転写部に配置される転写補助ガイドの構成を二次転写部近傍の構成と共に模式的に簡略に示す図である。
【図３】(a),(b),(c) は実施形態１におけるプリンタの転写補助ガイドの動作を説明する図である。
【図４】(a) は転写ベルトと二次転写ローラによって形成される二次転写部の基本構成を示す図(b),(c) は(a) に破線で囲んで示す二次転写部で発生する放電を説明する拡大図である。
【図５】従来の中間転写ベルトと被転写体が接触した状態で放電領域に進入するように構成した例を分かりやすく模式的に示す図である。
【符号の説明】
【００６７】
１      転写部ローラ
２      伸張ローラ２
３      中間転写ベルト
４      二次転写ローラ
５      被転写体
６      放電領域
７      用紙搬送ローラ対
８      用紙ガイド部材
１０    カラー画像形成装置（プリンタ）
１２    画像形成部
１３    中間転写ベルトユニット
１４    給紙部
１５    両面印刷用搬送ユニット
１６（１６Ｍ、１６Ｃ、１６Ｙ、１６Ｋ）  画像形成ユニット
１７    感光体ドラム
１８    クリーナ
１９    帯電ローラ
２１    光書込ヘッド
２２    現像器
２３    現像ローラ
２４    中間転写ベルト
２５    駆動ローラ
２６    従動ローラ
２７    ベルト位置制御機構
２８    一次転写ローラ
２９    廃トナー回収容器
３１    給紙カセット
３２    用紙取出ローラ
３３    給送ローラ
３４    捌きローラ
３５    待機搬送ローラ対
３６    二次転写ローラ
３７    ベルト式定着装置
３８    搬出ローラ対
３９    排紙トレー
４１    排紙ローラ対
４２ａ  開始返送路
４２ｂ  中間返送路
４２ｃ  終端返送路
４３ａ、４３ｂ、４３ｃ、４３ｄ  返送ローラ対
４５    クリーニング部
４６    取り込みローラ
４７    押圧ローラ
５０    転写補助ガイド
５１    支持軸
５２    棒状体
５３    第１の板状体
５４    半円凸部
５５    樹脂フィルム状シート
５６    第２の板状体
５７    突起部
５８    被転写体
５８ａ  先端
５８ｂ  後端
【図１】
2010145623.tif 000003
【図２】
2010145623.tif 000004
【図３】
2010145623.tif 000005
【図４】
2010145623.tif 000006
【図５】
2010145623.tif 000007